(57)【特許請求の範囲】
【請求項１】
耕耘軸に取り付けた耕耘爪で土壌を耕す際に、耕耘軸に草が巻き付くことを防ぐ草巻付き防止手段を備えたロータリ耕耘装置において、
前記草巻付き防止手段は、耕耘軸に設けた支点と、この支点を中心にスイングするシーソ式カッタとからなり、このシーソ式カッタを耕耘軸に略沿わせて配置した草巻付き防止手段付きロータリ耕耘装置であって、
前記シーソ式カッタは、両端が耕耘軸から遠ざかるような湾曲形状を呈するカッタであることを特徴とする草巻付き防止手段付きロータリ耕耘装置。
【発明の詳細な説明】
【０００１】
【発明の属する技術分野】
本発明は、耕耘爪で土壌を耕す際に耕耘軸に草が巻き付くことを防ぐ草巻付き防止手段を備えたロータリ耕耘装置に関する。
【０００２】
【従来の技術】
ロータリ耕耘装置で土壌を耕す際に、耕耘軸に草が巻き付くと、巻付いた草の除去に手間がかかり作業性が低下する。このため、草の巻付きを防ぐように構成したロータリ耕耘装置が、一例として実開昭６０−１０４０４号公報「耕耘爪軸ロータの草巻付き防止装置」に提案されている。この技術を、次図に再掲して詳しく説明する。なお、符号は振り直した。
【０００３】
図８は従来のロータリ耕耘装置の概略図であり、土壌に水平に延ばした耕耘軸１００にフランジ１０１，１０１を取り付け、フランジ１０１，１０１に耕耘爪１０２・・・（・・・は複数個を示す）及びパイプバー１０３を取り付けた状態を示す。パイプバー１０３を耕耘軸１００に対して一定間隔Ｓを開けて取り付けることで、丈の短い草の巻付きを防ぐ。
【０００４】
【発明が解決しようとする課題】
しかし、丈の長い草が多い土壌で上記ロータリ装置を使用すると、耕耘軸１００及びパイプバー１０３に丈の長い草１０５が巻き付いてしまう。このため、巻付いた草１０５を、耕耘軸１００とパイプバー１０３との間の空間Ｓに刃物を突き刺して切断する必要がある。従って、巻付いた草１０５の切断に手間がかかり、作業性が低下する虞がある。
【０００５】
そこで、本発明の目的は、耕耘軸に草が巻き付くことを防ぐことができるロータリ耕耘装置を提供することにある。
【０００６】
【課題を解決するための手段】
上記目的を達成するために請求項１は、耕耘軸に取り付けた耕耘爪で土壌を耕す際に、耕耘軸に草が巻き付くことを防ぐ草巻付き防止手段を備えたロータリ耕耘装置において、
前記草巻付き防止手段は、耕耘軸に設けた支点と、この支点を中心にスイングするシーソ式カッタとからなり、このシーソ式カッタを耕耘軸に略沿わせて配置した草巻付き防止手段付きロータリ耕耘装置であって、前記シーソ式カッタは、両端が耕耘軸から遠ざかるような湾曲形状を呈するカッタであることを特徴とする。
【０００７】
耕耘軸の支点にシーソ式カッタをスイング自在に取り付ける。このため、シーソ式カッタの一端側に草が巻き付くと、シーソ式カッタをスイングさせて一端側を耕耘軸に押し付け、他端側を耕耘軸から遠ざける。この状態で、シーソ式カッタの他端側に草が巻き付くと草の巻付力で他端側を耕耘軸に押し付ける。このため、シーソ式カッタの一端側が耕耘軸から遠ざかり、一端側に巻き付いた草をシーソ式カッタで切断する。
【０００８】
また、シーソ式カッタを、両端が耕耘軸から遠ざかるような湾曲形状を呈するカッタとした。
【０００９】
シーソ式カッタは、一端側に草が巻き付いて他端側が耕耘軸から遠ざかった状態で、他端側に草が巻き付いても、他端側草の巻付力が一端側の巻付力より小さい場合、シーソ式カッタはスイングしない。
しかし、シーソ式カッタは両端が耕耘軸から遠ざかるような湾曲形状に形成したので、シーソ式カッタの他端側に巻き付いた草をカッタに沿って中央側に滑らせる。巻き付いた草をカッタに沿って滑らせることで草を切断する。
【００１０】
【発明の実施の形態】
本発明の実施の形態を添付図に基づいて以下に説明する。なお、「前」、「後」、「左」、「右」は作業者から見た方向に従う。また、図面は符号の向きに見るものとする。
図１は本発明に係る草巻付き防止手段付きロータリ耕耘装置の側面図である。
草巻付き防止手段付きロータリ耕耘装置１０は、ケーシング１１の上端にエンジン１２を取付け、エンジン１２の駆動力で回転する動力伝達機構（図２に示す）をケーシング１１の内部に配置し、この動力伝達機構に耕耘軸２０を取付け、耕耘軸２０に耕耘爪２８・・・を取付け、耕耘軸２０に本発明に係る草巻付き防止手段３０を取り付け、ケーシング１１の上部後端にハンドルポスト部４０を介してハンドル４１を取付けた歩行型自走式耕耘機である。なお、４３は抵抗棒である。
【００１１】
このロータリ耕耘装置１０は、エンジン１２の駆動力で動力伝達機構を介して耕耘軸２０を回転させ、耕耘軸２０で耕耘爪２８・・・を回転することにより前進しながら土壌を耕す。その際に、抵抗棒４３を土壌の中に差込むことにより、耕耘爪２８・・・による耕深量を設定するとともに耕耘爪２８・・・の牽引力に対する抵抗力を付加する。
【００１２】
図２は図１の２−２線断面図である。
動力伝達機構１３は、エンジン１２（図１に示す）の駆動力で回転するピニオン１４と、ピニオン１４に噛み合ったベベルギヤ１５とからなり、ピニオン１４及びベベルギヤ１５をケーシング１１の内部に配置したものである。
【００１３】
耕耘軸２０は、ベベルギヤ１５にセレーション１６で噛み合った第１耕耘軸２１と、第１耕耘軸２１の左右端部に嵌め込み、ピン２０ａ，２０ａでロックした左右の第２耕耘軸２２，２２と、左右の第２耕耘軸２２，２２に嵌め込み、ピン２０ａ，２０ａでロックした左右の第３耕耘軸２３，２３と、左右の第３耕耘軸２３，２３に嵌め込み、ピン２０ａ，２０ａでロックした左右の第４耕耘軸２４，２４とからなる。
すなわち、耕耘軸２０は、第１〜第４耕耘軸２１，２２，２３，２４をピン２０ａ・・・で一体に連結したもので、エンジン１２（図１に示す）の駆動力で第１〜第４耕耘軸２１，２２，２３，２４を一体に回転する。
【００１４】
左右の第２耕耘軸２２，２２にフランジ２５，２５を取り付け、フランジ２５，２５に耕耘爪２８・・・を取り付ける。また、左右の第３耕耘軸２３，２３にフランジ２６，２６を取り付け、フランジ２６，２６に耕耘爪２８・・・を取り付ける。なお、左右の第４耕耘軸２４，２４にディスク２９，２９を取り付ける。
【００１５】
草巻付き防止手段３０は、耕耘軸２０に取り付けた耕耘爪２８・・・で土壌を耕す際に、耕耘軸２０に草が巻き付くことを防ぐものであって、左右の第３耕耘軸（耕耘軸）２３，２３に設けた支点（ボルト）３１・・・と、ボルト３１・・・を中心にスイングするシーソ式カッタ３５・・・とからなり、シーソ式カッタ３５・・・を耕耘軸２０に略沿わせて配置したものである。
【００１６】
図３は図２の３−３線断面図であり、左側の第３耕耘軸２３に前方のフランジ２５及び後方のフランジ２５を所定間隔Ｌを開けて取り付け、前方のフランジ２５にボルト２７，２７を介して耕耘爪２８，２８を取り付け、後方のフランジ２５にボルト２７，２７を介して耕耘爪２８，２８を取り付け、前方の耕耘爪２８，２８と後方の耕耘爪２８，２８との間に草巻付き防止手段３０を取り付けた状態を示す。
前方のフランジ２５及び後方のフランジ２５を所定間隔Ｌを開けて取り付けることで、所定間隔Ｌの間にシーソ式カッタ３５が入り込む隙間を確保することができる。従って、シーソ式カッタ３５のスイング移動が可能になる。
【００１７】
図４は本発明に係る草巻付き防止手段の拡大図であり、左側の第３耕耘軸２３にブラケット３２を溶接し、ブラケット３２にボルト３１を介してシーソ式カッタ３５を揺動自在に取り付けた状態を示す。
このシーソ式カッタ３５は、カッタ刃３８を耕耘軸２０の半径方向外側を向くように配置する。これにより、耕耘軸２０に巻き付く草を効率よく切断する。
【００１８】
ボルト３１とナット３３との間にスペーサ３４ａを配置し、シーソ式カッタ３５がスイング可能な状態にナット３３を締め付け、ボルト３１の先端にピン３４ｂを取り付けることによりナット３３の落下を防ぐ。なお、スペーサ３４ａの材料は合成樹脂が好ましいが、これに限るものではない。
【００１９】
図５は図４の５矢視図である。
草巻付き防止手段３０のシーソ式カッタ３５は、両端（外端３６及び内端３７）が耕耘軸２０から遠ざかるような湾曲形状を呈するカッタであり、ボルト３１を軸にして外端（一端）３６及び内端（他端）３７を矢印の如くシーソ状にスイングするものである。このスイングを利用して耕耘軸２０に巻き付いた草を切断することができる。
【００２０】
また、シーソ式カッタ３５は、カッタ刃３８を凹形湾曲に滑らかに形成したものである。従って、シーソ式カッタ３５がスイングしない場合でも、シーソ式カッタ３５に巻き付いた草をカッタ刃３８に沿って滑らせて効率よく切断することができる。
なお、シーソ式カッタ３５を耕耘軸２０に取り付けることで、従来技術と同様に、丈の短い丈の短い草の巻付きを防ぐこともできる。
【００２１】
次に、草巻付き防止手段付きロータリ耕耘装置の作用を説明する。
図６（ａ），（ｂ）は本発明に係る草巻付き防止手段付きロータリ耕耘装置の第１作用説明図であり、シーソ式カッタ３５に草４５が巻き付いた例を示す。
（ａ）は、左側のシーソ式カッタ３５，３５の内端３７，３７側に草４５が巻き付くことにより、シーソ式カッタ３５，３５がスイングして内端３７，３７側が耕耘軸２０に押し付られ、外端３６，３６側が耕耘軸２０から遠ざかったパターンを示す。
【００２２】
一方、右側のシーソ式カッタ３５，３５の内端３７，３７側にも草４５が巻き付くことにより、シーソ式カッタ３５，３５がスイングして内端３７，３７側が耕耘軸２０に押し付られ、外端３６，３６側が耕耘軸２０から遠ざかったパターンを示す。
【００２３】
（ｂ）は、（ａ）と同様に、左側のシーソ式カッタ３５，３５の内端３７，３７側に草４５が巻き付くことにより、シーソ式カッタ３５，３５がスイングして内端３７，３７側が耕耘軸２０に押し付られ、外端３６，３６側が耕耘軸２０から遠ざかったパターンを示す。
【００２４】
一方、右側のシーソ式カッタ３５，３５の外端３６，３６側に草４５が巻き付くことにより、シーソ式カッタ３５，３５がスイングして外端３６，３６側が耕耘軸２０に押し付られ、内端３７，３７側が耕耘軸２０から遠ざかったパターンを示す。
【００２５】
図７（ａ）〜（ｄ）は本発明に係る草巻付き防止手段付きロータリ耕耘装置の第２作用説明図であり、（ａ）は図６（ａ），（ｂ）に示す左側のシーソ式カッタ３５の内端３７側に草４５が巻き付いたパターンを示し、（ｂ）〜（ｄ）はその後の作用を示す。なお、草４５は上下のシーソ式カッタ３５，３５に巻き付くが、理解を容易にするために上側のシーソ式カッタ３５についてのみ説明する。
【００２６】
（ａ）において、シーソ式カッタ３５の内端３７側に草４５が巻き付くと、シーソ式カッタ３５がボルト３１を軸にしてスイングし、内端３７側が耕耘軸２０に押し付られて外端３６側が耕耘軸から遠ざかる。
【００２７】
（ｂ）において、シーソ式カッタ３５の外端３６側に草４５が巻き付く。外端３６側に巻き付いた草４５の巻付力が内端３７側の草４５の巻付力より小さい場合、シーソ式カッタ３５はスイングしない。
ここで、シーソ式カッタ３５を両端３６，３７が耕耘軸２０から遠ざかるような湾曲形状に形成し、かつカッタ刃３８を凹形湾曲に滑らかに形成した。従って、シーソ式カッタ３５の外端３６側に巻き付いた草４５はカッタ刃３８に沿って中央側に滑る。このため、カッタ刃３８の外端３６側に巻き付いた草４５をカッタ刃３８で切断することができる。
【００２８】
（ｃ）において、シーソ式カッタ３５の外端３６側に草４５が巻き付く。外端３６側に巻き付いた草４５の巻付力が内端３７側の草４５の巻付力より大きい場合、シーソ式カッタ３５はボルト３１を軸にして矢印の如くスイングする。
（ｄ）において、シーソ式カッタ３５の外端３６側が耕耘軸２０に押し付られた状態で、シーソ式カッタ３５の外端３６側に草が巻き付く。従って、シーソ式カッタ３５は内端３７側が耕耘軸２０から遠ざかるようにスイングするので、内端３７側に巻き付いた草４５を切断することができる。
【００２９】
なお、前記実施の形態では、歩行型自走式耕耘機に草巻付き防止手段３０を採用した例について説明したが、その他にロータリ装置をトラクタの後部に取り付けてけん引するリヤタインロータに適用することも可能である。
また、シーソ式カッタ３５の湾曲形状は、草の種類、太さ、強さに応じて湾曲形状を決定することにより、シーソ式カッタ３５で草をより効率よく切断することができる。
さらに、シーソ式カッタ３５の湾曲形状は、土壌の硬さ、耕深深さに応じて多種のタイプを設定することで、圃場条件に好適なシーソ式カッタ３５を選択することができる。
【００３０】
【発明の効果】
本発明は上記構成により次の効果を発揮する。
請求項１は、耕耘軸の支点にシーソ式カッタをスイング自在に取り付ける。このため、シーソ式カッタの一端側に草が巻き付くと、シーソ式カッタをスイングさせて一端側を耕耘軸に押し付け、他端側を耕耘軸から遠ざけることができる。この状態で、シーソ式カッタの他端側に草が巻き付くと草の巻付力で他端側を耕耘軸に押し付けることができる。
このため、シーソ式カッタの一端側が耕耘軸から遠ざかり、一端側に巻き付いた草をシーソ式カッタで切断することができる。従って、草が耕耘軸に巻き付くことを防止することができる。
【００３１】
ここで、シーソ式カッタは、一端側に草が巻き付いて他端側が耕耘軸から遠ざかった状態で、他端側に草が巻き付いても、他端側草の巻付力が一端側の巻付力より小さい場合、シーソ式カッタはスイングしない。
しかし、シーソ式カッタは両端が耕耘軸から遠ざかるような湾曲形状に形成したので、シーソ式カッタの他端側に巻き付いた草をカッタに沿って中央側に滑らせることができる。巻き付いた草をカッタに沿って滑らせることで草を切断することができる。従って、草が耕耘軸に巻き付くことを防止することができる。
【図面の簡単な説明】
【図１】本発明に係る草巻付き防止手段付きロータリ耕耘装置の側面図
【図２】図１の２−２線断面図
【図３】図２の３−３線断面図
【図４】本発明に係る草巻付き防止手段の拡大図
【図５】図４の５矢視図
【図６】本発明に係る草巻付き防止手段付きロータリ耕耘装置の第１作用説明図
【図７】本発明に係る草巻付き防止手段付きロータリ耕耘装置の第２作用説明図
【図８】従来のロータリ耕耘装置の概略図
【符号の説明】
１０…ロータリ耕耘装置、２０…耕耘軸、２８…耕耘爪、３０…草巻付き防止手段、３１…支点（ボルト）、３５…シーソ式カッタ、４５…草。
【図１】
0004180764.tif 000002
【図２】
0004180764.tif 000003
【図３】
0004180764.tif 000004
【図４】
0004180764.tif 000005
【図５】
0004180764.tif 000006
【図６】
0004180764.tif 000007
【図７】
0004180764.tif 000008
【図８】
0004180764.tif 000009